(57)【特許請求の範囲】
【請求項１】
前後端縁及び両側縁を有する吸液性コアと、前記コアの両面を被覆し該コアの前記両端縁及び両側縁から延出する透液性表面シート及び不透液性裏面シートとから積層体が構成され、前記積層体が、前側域と、後側域と、該前後側域の間に延在する股下域とを有し、前記積層体がその縦方向へ折り重ねられた状態で前記前後側域の両側縁が接合されることで、胴開口部と、一対の脚開口部とが画成され、前記胴開口部を含む前記前後側域及び前記脚開口部にそれらの周り方向へ延在しそれらの縦方向へ間隔をおいて多数の弾性部材が配列された使い捨てのパンツ型体液吸収性着用物品において、
前記前後側域のうち少なくとも前記前側域における前記コアが、その前端縁を含むその近傍において該前端縁に向かって少なくとも１０ｍｍの範囲にわたる前端域の厚みが減少する形状に形成されており、前記範囲にわたる前端域が前記弾性部材の一部によって押圧されていることを特徴とする前記物品。
【請求項２】
前記コアの形状が、前記コアの前記前端域における材料を前記前端縁に向かって少なくするか、圧縮するかのいずれかによって形成されている請求項１に記載の物品。
【請求項３】
前記後側域における前記コアが、その後端縁を含むその近傍において該後端縁に向かって少なくとも１０ｍｍの範囲にわたる後端域の厚みが減少する形状に形成されており、前記範囲にわたる後端域が前記弾性部材の一部によって押圧されている請求項１又は２記載の物品。
【請求項４】
前記前後側域のうち少なくとも前記前側域が、前記コアの前端縁を境とする上下各最大２０ｍｍの範囲で画成される第１胴周り域と、該第１胴周り域と前記両脚開口部との間に画成される第２胴周り域と、前記第１胴周り域と前記胴開口部との間に画成される第３胴周り域とを有し、前記第１胴周り域における弾性部材の各々の配列間隔寸法が、前記第２胴周り域における弾性部材の各々の配列間隔寸法よりも小さくされ、前記第３胴周り域における前記弾性部材の各々の断面積及び伸長応力が、前記第１及び第２胴周り域における前記弾性部材の各々よりも大きくされている請求項１〜３のいずれかに記載の物品。
【発明の詳細な説明】
【０００１】
【産業上の利用分野】
この発明は、使い捨てのパンツ型おむつ、トレニングパンツ、失禁パンツ等の使い捨てのパンツ型体液吸収性着用物品に関する。
【０００２】
【従来の技術】
従来、この種のパンツ型体液吸収性着用物品は、胴周り開口縁部と左右一対の脚周り開口縁部の各々に弾性部材を配置して各開口縁部に周り方向の伸縮性を与えてある。また、胴周り開口縁部から股下域にかけての上下方向に幅広く弾性部材を配列し、着用物品の吸液性コアが位置する所要部位にその外側から押圧力を加え、該部位の内側を着用者身体に密着させるものも知られ、かかる物品は、例えば、特開平４−１６６１５０、同４−２８９２０１号公報に開示されている。
【０００３】
【発明が解決しようとする課題】
前記公知物品に基づき、コアが位置する所要部位を身体によく密着させて体液の漏れ防止を図ろうとすると、胴周りの弾性部材で着用者の胴周りを幅広く圧迫してしまい、物品の着用感を損ねかねない。しかるに、体液の漏れ防止は、コアが位置する全域を密着させるのではなく、その周縁部だけを密着させてもよく、また、そのようにすれば着用感を損ねる恐れも少なくなる。
【０００４】
この発明は、少なくともコアの端縁近傍部の密着性を向上させることを課題にしている。
【０００５】
【課題を解決するための手段】
前記課題を解決するためのこの発明は、前後端縁及び両側縁を有する吸液性コアと、前記コアの両面を被覆し該コアの前記両端縁及び両側縁から延出する透液性表面シート及び不透液性裏面シートとから積層体が構成され、前記積層体が、前側域と、後側域と、該前後側域の間に延在する股下域とを有し、前記積層体がその縦方向へ折り重ねられた状態で前記前後側域の両側縁が接合されることで、胴開口部と、一対の脚開口部とが画成され、前記胴開口部を含む前記前後側域及び前記脚開口部にそれらの周り方向へ延在しそれらの縦方向へ間隔をおいて多数の弾性部材が配列された使い捨てのパンツ型体液吸収性着用物品の改良に関する。
【０００６】
この発明の特徴は、前記前後側域のうち少なくとも前記前側域における前記コアが、その前端縁を含むその近傍において該前端縁に向かって少なくとも１０ｍｍの範囲にわたる前端域の厚みが減少する形状に形成されており、前記範囲にわたる前端域が前記弾性部材の一部によって押圧されていることにある。
【０００７】
この発明の好ましい実施の形態は、前記コアの形状が、前記コアの前記前端域における材料を前記前端縁に向かって少なくするか、圧縮するかのいずれかによって形成されていることにある。
【０００８】
この発明の好ましい実施の形態は、前記後側域における前記コアが、その後端縁を含むその近傍において該後端縁に向かって少なくとも１０ｍｍの範囲にわたる後端域の厚みが減少する形状に形成されており、前記範囲にわたる後端域が前記弾性部材の一部によって押圧されていることにある。
【０００９】
この発明の好ましい実施の形態は、前記前後側域のうち少なくとも前記前側域が、前記コアの前端縁を境とする上下各最大２０ｍｍの範囲で画成される第１胴周り域と、該第１胴周り域と前記両脚開口部との間に画成される第２胴周り域と、前記第１胴周り域と前記胴開口部との間に画成される第３胴周り域とを有し、前記第１胴周り域における弾性部材の各々の配列間隔寸法が、前記第２胴周り域における弾性部材の各々の配列間隔寸法よりも小さくされ、前記第３胴周り域における前記弾性部材の各々の断面積及び伸長応力が、前記第１及び第２胴周り域における前記弾性部材の各々よりも大きくされていることにある。
【００１０】
【実施の形態】
この発明に係る使い捨てのパンツ型体液吸収性着用物品として、使い捨てのパンツ型おむつを例にとり、その実施の形態を添付の図面を参照して説明すると、以下のとおりである。
【００１１】
図１において、おむつは積層体１から構成されている。積層体１は、透液性表面シート２と、不透液性裏面シート３と、これら両シート間に配置された吸液性コア４とから構成されている。コア４は、砂時計又はＩ字の形状に形成され、前後端縁４Ａ，４Ｂと、両側縁４Ｃとを有する。表裏面シート２，３は、それらの周縁がコア４の周縁から延出する大きさに形成され、それらの延出部が互いに接合されることで両側部フラップ６Ａ，６Ｂ及び両端部フラップ６Ｃ，６Ｄが形成されている。こうした積層体１は、そのほぼ中央に位置し、幅狭く形成されている股下域７Ａを介して前後側域７Ｂ，７Ｃに区分けされることができる。積層体１は、表面シート２がおむつの内面に位置するように股下域７Ａにおいて折り重ねられ、前後側域７Ｂ，７Ｃの両側縁における接合手段１０で接合され、この接合で胴開口部１１と、一対の脚開口部１２とが画成されている。胴開口部１１を含む前側域７Ｂと、脚開口部１２とには、それらの周り方向へ伸縮する弾性部材１５，１６が取付けられている。
【００１２】
図２において、前側域７Ｂにおけるコア４は、前端縁４Ａを含むその近傍においてその前端縁４Ａに向かって少なくとも１０ｍｍの範囲にわたる前端域の厚みが漸減する形状に形成されている。こうした形状は、コア４の当該部における材料を前端縁４Ａに向かって少なくするか、圧縮することで得られる。前端縁４Ａから延出する表裏面シート２，３は、互いに接合し胴開口縁１７を形成している。図示されていないが、後側域７Ｃも同様に構成されていると理解されたい。
【００１３】
前側域７Ｂは、コア４の前端縁４Ａを境とする上下各最大２０ｍｍ，好ましくは１５〜１０ｍｍの範囲で画成される胴周り域７Ｂ１と、胴周り域７Ｂ１と両脚開口部１２との間に画成される胴周り域７Ｂ２と、胴周り域７Ｂ１と胴開口縁１７との間に画成される胴周り域７Ｂ３とを有している。胴周り域７Ｂ１，７Ｂ２，７Ｂ３には、多数の弾性部材１５がそれらの周り方向へ延在し、それらの縦方向へ間隔をおいて配列され、表面シート２の内面又は表裏面シート２，３の内面に伸長状態で固定されている。胴周り域７Ｂ３における弾性部材１５ａの各々は、胴周り域７Ｂ１，７Ｂ２における弾性部材１５ｂ，１５ｃの各々よりも、それらの断面積及び伸長応力に関して大きく設定されている。胴周り域７Ｂ１，７Ｂ２における弾性部材１５ｂ，１５ｃの各々は、それらの断面積及び伸長応力に関して互いに実質的に等しくされているが、胴周り域７Ｂ１における弾性部材１５ｂの各々の配列間隔寸法は、胴周り域７Ｂ２における弾性部材１５ｃの各々の配列間隔寸法よりも小さく設定され、したがって、一定面積当りの面圧に関して、胴周り域７Ｂ１が胴周り域７Ｂ２よりも大きくなっている。胴周り域７Ｂ１，７Ｂ２，７Ｂ３における弾性部材１５ｂ，１５ｃ，１５ａは、長さ１５０ｍｍ当りの５０％伸長応力が５〜５０ｇであり、伸長率１．１〜２．５倍の範囲で取付けられている。
【００１４】
一定面積当りの面圧に関して、胴周り域７Ｂ１が胴周り域７Ｂ２よりも大きくなっている前記実施例においては、おむつの着用中、胴周り域７Ｂ１に位置するコア４の前端縁４Ａ及びその近傍域は、コア４の剛性のゆえに着用者の肌から離れることがない、換言すると、コア４の剛性にもかかわらず、胴周り域７Ｂ２よりも肌に強く密着するという利点がある。しかし、一方においては、一部域だけの面圧を強くすることは、着用者に違和感を与えることもあろう。そこで、一定面積当りの面圧に関して、胴周り域７Ｂ１，７Ｂ２を実質的に等しくしながらも、肌に対する密着性に関して、胴周り域７Ｂ１が胴周り域７Ｂ２よりも良くすることが好ましい。これを実施するには、前記実施例のように、胴周り域７Ｂ１の弾性部材１５ｂの各々の配列間隔寸法を胴周り域７Ｂ２の弾性部材１５ｃのそれよりも小さくするとともに、胴周り域７Ｂ１の弾性部材１５ｂの各々の伸長応力を胴周り域７Ｂ２の弾性部材１５ｃの各々のそれよりも適宜小さくすればよい。このように小さくするためには、胴周り域７Ｂ１，７Ｂ２の弾性部材１５ｂ，１５ｃの各々の材質及び断面積を実質的に等しくするとともに、胴周り域７Ｂ１の弾性部材１５ｂの各々の伸長倍率を胴周り域７Ｂ２の弾性部材１５ｃの各々のそれよりも小さくするか、胴周り域７Ｂ１，７Ｂ２の弾性部材１５ｂ，１５ｃの材質及び伸長倍率を実質的に等しくするとともに胴周り域７Ｂ１の弾性部材１５ｂの各々の断面積を胴周り域７Ｂ２の弾性部材１５ｃのそれよりも適宜小さくすればよい。
【００１５】
なお、弾性部材１５の断面形は、円形、角形のいずれでもよいが、その断面形において、厚み（径）寸法よりも幅（径）寸法が大きいものが好ましい。
【００１６】
以上の説明においては、前側域７Ｂに関してであるが、後側域７Ｃにおいても、前側域７Ｂと同様の構成又は多少異なる構成にしてよいことはいうまでもない。
【００１７】
このように構成されたおむつでは、コアの前端縁４Ａの上下で弾性部材１５が間隔狭く、密に配列され、コア４は前端縁４Ａとその近傍とが位置する部位において確実に肌に密着するので、排泄された体液は、前端縁４Ａから外へ漏れることがない。胴周り域７Ｂ３の弾性部材１５ａは、胴周り方向において実質的に連続するように、前後側域７Ｂ，７Ｃの幅方向全体に延在している。
【００１８】
胴周り域７Ｂ１の弾性部材１５ｂに代え、一枚ないし複数枚の比較的幅広い帯状弾性部材を使用してコアの前端縁４Ａとその近傍の密着性を向上させることも可能であるが、おむつの内外の通気性を妨げないようにするため、透湿性を有するものを使用することが好ましい。
【００１９】
この発明において、表面シート２には不織布や開孔プラスチックフィルムを使用し、裏面シート３にはポリエチレンなどのプラスチックフィルムを使用することができる。コア４には、粉砕パルプや粉砕パルプと高吸収性ポリマー粉末との混合物を公知ないし周知の技術により所要形状に賦型したものを使用することができる。弾性部材１５，１６には、ゴムやプラスチックエラストマー等のゴム弾性を有する材料を使用することができる。
【００２０】
【発明の効果】
この発明に係る着用物品では、コアの端縁の近傍における厚みがその端縁に向かって漸減しているので、そうしていない場合と比較して身体との間に生じる段差が小さく着用時の体裁が良好である。
【図面の簡単な説明】
【図１】パンツ型おむつの部分破断斜視図。
【図２】図１のＩＩ−ＩＩ線端面図。
【符号の説明】
１      積層体
２      表面シート
３      裏面シート
４      コア
４Ａ    前端縁
７Ａ    股下域
７Ｂ    前側域
７Ｃ    後側域
７Ｂ１  第１胴周り域
７Ｂ２  第２胴周り域
７Ｂ３  第３胴周り域
１５    弾性部材
１６    弾性部材
【図１】
0003566709.tif 000002
【図２】
0003566709.tif 000003